(57)【要約】  本発明は、高低調節が可能なレーザーレベル装置に関し、レーザー光を発散し、測定地点に鉛直点を表示できるレーザー発散部と；レーザー発散部が挿入・結合され、外部衝撃からレーザー発散部を保護することができ、レーザーレベル装置の水平を維持できるケース部と；ケース部の上部に挿入・結合され、レーザーレベル装置の高低を調節できる高さ調節部と；を含んで構成され、建設現場の足場や仮設材の上部に締結され、設置面の平滑度及び水平度と関係なく水平を維持することによって測定の正確性を向上させることができ、別途の支持台なしで締結されることによって携帯性を向上させることができる。また、高さ調節部による簡単な操作で高低を調節することができ、上部に締結されているので、測定時にも作業者の移動及び資材運搬などの作業活動に影響を与えずに作業性を改善できる、高低調節が可能なレーザーレベル装置に関する。
2018518679.tif 000002
【特許請求の範囲】
【請求項１】
レーザー発散部と；前記レーザー発散部が設置されるケース部と；前記レーザー発散部が設置されたケース部の高低の調節が可能な高さ調節部と；を含んで構成された高低調節が可能なレーザーレベル装置において、
ケース部には、ケース内部空間部と；光透過口と；が形成されており、
前記ケース内部空間部に設置されるレーザー発散部は、バッテリーで駆動され、作動スイッチを用いて動作する制御装置と；前記レーザー発散部の側面に２以上設置されており、制御装置の信号を受けてレーザー光を発散できるようにレーザー光発散体が内設されている水平発散部又は垂直発散部と；前記レーザーが投影されて水平線或いは鉛直線として拡散され得る拡散体と；を含んで構成されており、
前記高さ調節部は、長さ調節によってレーザーレベル装置の高低を調節できる高さ調節紐と；高さ調節紐の上端に結合されており、レーザーレベル装置を使用場所に堅固に締結できる締結フックと；高さ調節紐の下端に結合されており、回転によって高さ調節紐の長さを調節できるように、結束台及び前記結束台の両端に結合される側面板を含んで構成された回転調節体と；前記回転調節体を貫通して設置される支持台と；支持台を用いて前記回転調節体が設置され得る内部空間部が形成された垂直移動部と；垂直移動部の底面に形成されており、高さ調節部とケース部とを連結することができ、回転調節体の回転による高さ調節紐の結束時、高さ調節紐の結束量に応じてレーザーレベル装置の水平維持に誤差が発生することを防止することによってレーザーレベル装置の水平を精密に維持できる水平維持連結紐と；を含んで構成されており、レベル装置の水平を精密に維持することによって正確な測定を図ることができることを特徴とする高低調節が可能なレーザーレベル装置。
【請求項２】
ケース部の底面に備えられた水平維持体；をさらに含むことを特徴とする、請求項１に記載の高低調節が可能なレーザーレベル装置。
【請求項３】
回転調節体の一側の側面板は歯車状に成形されており、回転調節体の結束台の内部に形成された結束台内部空間部と；前記結束台内部空間部に一側が支持台と結合されており、他側が結束台内部空間部の内壁に固定・結合されている弾性体と；前記歯車状の側面板を固定させるために垂直移動部の上面を貫通して設置された固定ピンと；を含んで構成されており、高さ調節紐の長さを固定できることを特徴とする、請求項１に記載の高低調節が可能なレーザーレベル装置。
【請求項４】
垂直移動部が挿入・保管できるようにケースの上部に形成された高さ調節部挿入・結合口と；前記高さ調節部挿入・結合口の底面に設置された磁性体と；をさらに含むことを特徴とする、請求項１に記載の高低調節が可能なレーザーレベル装置。
【発明の詳細な説明】
【技術分野】
【０００１】
本発明は、高低調節が可能なレーザーレベル装置に関し、建設現場の足場や仮設材の上部に別途の据え置き台なしで締結可能であり、設置面の平滑度及び水平度と関係なく水平を維持することができ、簡単な操作を通じて高低を調節できる高低調節が可能なレーザーレベル装置に関する。
【背景技術】
【０００２】
一般に、建設現場でタイルや石材などのように仕上げ資材を１枚ずつ施工するために壁面又は床面に仕上げ線を表示する場合、糸や墨線を通じて鉛直点を測定している。しかし、このような測定方法によると、作業者の視線角度及び手の位置に応じて誤差が発生し得ると共に、広い空間で使用するとき、作業者達の往来によって仕上げ線が毀損してしまい、作業者の施工性及び建築空間の完成度が低下するという問題点が発生する。そのため、最近は、基準点から一定距離だけ離隔した位置にレーザー光を用いたレーザーレベル装置を配置した後、レーザーレベル装置から発散されるレーザー光に沿って墨線などで仕上げ線を表示する方法が使用されている。
【０００３】
これに対して、出願番号１０−２００８−００８９０８７号の水平レベル装置では、対象物の鉛直点を測定できるようにレーザー光を発散する第１及び第２レーザーレベル装置を含み、これを据え置くことができる三脚架を通じて第１及び第２レーザーレベル装置を作業者が望む高さに移動させ、効率的に鉛直点を測定できる水平レベル装置に関して掲載されている。
【０００４】
しかし、前記のような既存の発明は、三脚架が据え置かれる床面が均一でないか、床面と測定面とが直交状態でない場合、測定の正確性が低下するおそれがあり、鉛直点を測定するために体積が大きい三脚架を常に携帯しなければならないので携帯性が低下するという問題がある。また、作業中に、作業者の移動や資材運搬などの過程で外部の衝撃によって三脚架が倒れてしまい、水平レベル装置が破損したり測定点が任意に変更され、再び測定しなければならないという不便さが存在する。また、三脚架の操作を通じて水平レベル装置の高低を調節しなければならないので、作業の効率性が低下するという問題がある。
【０００５】
前記問題を解決するために、本発明は、建設現場の足場や仮設材の上部に締結され、設置面の平滑度及び水平度と関係なく水平を維持することによって測定の正確性を向上させることができ、別途の支持台なしで締結されることによって携帯性を向上できる、高低調節が可能なレーザーレベル装置を提供しようとする。
【０００６】
また、高さ調節部による簡単な操作で高低を調節することができ、上部に締結されているので、測定時にも作業者の移動及び資材運搬などの作業活動に影響を与えずに作業性を向上できる、高低調節が可能なレーザーレベル装置を提供しようとする。
【発明の概要】
【発明が解決しようとする課題】
【０００７】
本発明は、高低調節が可能なレーザーレベル装置に関し、建設現場の足場や仮設材の上部に締結され、設置面の平滑度及び水平度と関係なく水平を維持することによって測定の正確性を向上させることができ、別途の支持台なしで締結されることによって携帯性を向上できる、高低調節が可能なレーザーレベル装置を提供しようとする。
【０００８】
また、高さ調節部による簡単な操作で高低を調節することができ、上部に締結されているので、測定時にも作業者の移動及び資材運搬などの作業活動に影響を与えずに作業性を向上できる、高低調節が可能なレーザーレベル装置を提供しようとする。
【課題を解決するための手段】
【０００９】
前記課題を解決するために、
本発明は、レーザー光を発散し、測定地点に鉛直点を表示できるレーザー発散部と；レーザー発散部が挿入・結合され、外部衝撃からレーザー発散部を保護することができ、レーザーレベル装置の水平を維持できるケース部と；ケース部の上部に挿入・結合され、レーザーレベル装置の高低を調節できる高さ調節部と；を含んで構成されている高低調節が可能なレーザーレベル装置を提供する。
【発明の効果】
【００１０】
本発明によると、高低調節が可能なレーザーレベル装置に関し、建設現場の足場や仮設材の上部に締結され、設置面の平滑度及び水平度と関係なく水平を維持することによって測定の正確性を向上させることができ、別途の支持台なしで締結されることによって携帯性を向上させることができる。
【００１１】
また、本発明によると、高さ調節部による簡単な操作で高低を調節することができ、上部に締結されているので、測定時にも作業者の移動及び資材運搬などの作業活動に影響を与えずに作業性を極大化することができる。
【図面の簡単な説明】
【００１２】
【図１】高低調節が可能なレーザーレベル装置に対する例示図である。
【図２】高低調節が可能なレーザーレベル装置に対する断面図である。
【図３】高低調節が可能なレーザーレベル装置の高さ調節体に対する詳細図である。
【図４】高低調節が可能なレーザーレベル装置の高さ調節体に対する断面詳細図である。
【図５】高低調節が可能なレーザーレベル装置のレーザー発散部に対する例示図及び詳細図である。
【図６】高低調節が可能なレーザーレベル装置の実施図である。
【発明を実施するための形態】
【００１３】
以下、添付の図面を参考してより詳細に説明する。
【００１４】
本発明は、高低調節が可能なレーザーレベル装置に関し、レーザー光を発散し、測定地点に鉛直点を表示できるレーザー発散部１００と；レーザー発散部１００が挿入・結合され、外部衝撃からレーザー発散部１００を保護することができ、レーザーレベル装置の水平を維持できるケース部２００と；ケース部２００の上部に挿入・結合され、レーザーレベル装置の高低を調節できる高さ調節部３００と；を含んで構成されている高低調節が可能なレーザーレベル装置に関する。
【００１５】
より詳細には、レーザー発散部１００は、正六面体の形状に成形されており、測定地点に水平線及び垂直線を表示できるように各側面に形成された２以上の水平発散部１１０又は垂直発散部１２０と；レーザー発散部１００の底面中央に締結され、水平発散部１１０及び垂直発散部１２０に電力を供給できるバッテリー１３０と；レーザー発散部１００の内部に備えられ、レーザー発散部１００の作動を制御できる制御装置１４０と；を含んで構成されている。前記水平発散部１１０及び垂直発散部１２０の内部には、一側が制御装置１４０と連結されたレーザー光発散体１１１が備えられており、制御装置１４０の信号によってレーザー光を発散することができ、発散されたレーザー光は、レーザー光発散体１１１の他側に形成された拡散体１１２に投影されて線として拡散され得る。また、拡散体１１２の配置方向に応じて発散されるレーザー線の水平及び垂直が決定される。
【００１６】
ケース部２００は、前記レーザー発散部１００が挿入・結合できるように内部に形成されたケース内部空間部２１０と；挿入・結合されたレーザー発散部１００の水平発散部或いは垂直発散部から発散されるレーザー光が透過できるように側面に穿孔されている光透過口２２０と；レーザーレベル装置の水平を維持するためにケース部２００の底面に備えられた水平維持体２３０と；ケース部２００の上端に形成されており、レーザーレベル装置の未使用時に垂直移動部３４０が挿入・結合され、保管の便利性を向上できる高さ調節部挿入・結合口２４０と；水平維持体２３０の底面に備えられており、制御装置１４０に電源を供給又は遮断できる作動スイッチ２５０と；を含んで構成されている。また、前記ケース内部空間部２１０にレーザー発散部１００が挿入・結合されるとき、レーザー発散部１００をケース内部空間部２１０の下端中央に挿入・結合することによってレーザー発散部１００の重量による水平誤差の発生を防止することができ、高さ調節部挿入・結合口２４０の底面には磁性体２４１が備えられており、垂直移動部３４０の着脱を容易にした。
【００１７】
高さ調節部３００は、長さ調節によってレーザーレベル装置の高低を調節できる高さ調節紐３１０と；高さ調節紐３１０の上端に結合されており、レーザーレベル装置を使用場所に堅固に締結できる締結フック３２０と；高さ調節紐３１０の下端に結合されており、回転によって高さ調節紐３１０の長さを調節できるように、結束台３３１及び前記結束台の両端に結合される側面板３３２を含んで構成された回転調節体３３０と；前記回転調節体を貫通して設置される支持台３６０と；支持台を用いて前記回転調節体３３０が設置され得る内部空間部３５０が形成された垂直移動部３４０と；垂直移動部３４０の底面に形成されており、高さ調節部３００とケース部２００とを連結することができ、回転調節体３３０の回転による高さ調節紐３１０の結束時、高さ調節紐３１０の結束量に応じてレーザーレベル装置の水平維持に誤差が発生することを防止することによってレーザーレベル装置の水平を精密に維持できる水平維持連結紐３７０と；を含んで構成されている。前記回転調節体は、支持台を用いて垂直移動部の内部空間部に設置されるが、回転調節体の位置を垂直移動部の内部空間部に固定させ、支持台を軸として回動可能にしたものである。
【００１８】
また、前記回転調節体３３０の結束台３３１の内部に形成された結束台内部空間部３３３には、一側が支持台３６０と結合されており、他側が結束台内部空間部の内壁に固定・結合されている弾性体３３４を用いて前記支持台及び結束台内部空間部の内壁に固定・結合された弾性体３３４の復元力によって回転調節体３３０が回転することによって高さ調節紐３１０を結束することができ、歯車状に成形された回転調節体３３０の一側の側面板３３２に垂直移動部３４０の上面を貫通して備えられた固定ピン３３５が締結されることによって高さ調節紐３１０を固定し、レーザーレベル装置の高低を調節することができる。
【符号の説明】
【００１９】
１００    レーザー発散部
１１０    水平発散部
１２０    垂直発散部
１３０    バッテリー
１４０    制御装置
１１１    レーザー光発散体
１１２    拡散体
２００    ケース部
２１０    ケース内部空間部
２２０    光透過口
２３０    水平維持体
２４０    高さ調節部挿入・結合口
２４１    磁性体
２５０    作動スイッチ
３００    高さ調節部
３１０    高さ調節紐
３２０    締結フック
３３０    回転調節体
３３１    結束台
３３２    側面板
３３３    結束台内部空間部
３３４    弾性体
３３５    固定ピン
３４０    垂直移動部
３５０    内部空間部
３６０    支持台
３７０    水平維持連結紐
【図１】
2018518679.tif 000003
【図２】
2018518679.tif 000004
【図３】
2018518679.tif 000005
【図４】
2018518679.tif 000006
【図５】
2018518679.tif 000007
【図６】
2018518679.tif 000008
【国際調査報告】
2018518679.tif 000009
2018518679.tif 000010
2018518679.tif 000011
2018518679.tif 000012